(57)【特許請求の範囲】
【請求項１】
冷気を生成する蒸発器と、蒸発器の霜取りを行う除霜装置と、除霜水を排出するドレンパイプを備えた冷蔵庫において、
前記ドレンパイプは、排水方向に水平から所定の傾斜角度以上下向きに傾けられ、補強用の凹凸溝が形成され耐圧性を有する上面部と、除霜水が滞留する凹部を有しておらず平滑で断面円形の底面と該底面の断面左右方向に連なる傾斜面を有する底面部を備えることを特徴とする冷蔵庫。
【請求項２】
前記傾斜面は、前記上面部に形成する凹凸部と連接するフラット部であって、該フラット部を、水平方向から左右に５°傾いても水平角度以下にならない傾斜面としたことを特徴とする請求項１に記載の冷蔵庫。
【請求項３】
前記所定の傾斜角度は５°程度であって、前記ドレンパイプは、排水方向に水平から５°以上下向きに傾けられていることを特徴とする請求項１または２に記載の冷蔵庫。
【請求項４】
前記ドレンパイプは、前記除霜装置が備えるドレンサポートの排水部に接続される連結部と、該連結部に連なり排水方向に水平から前記傾斜角度下向きに傾斜したパイプ部と、該パイプ部に連なる機外排水部とを備えたことを特徴とする請求項１から３のいずれかに記載の冷蔵庫。
【請求項５】
前記連結部は前記パイプ部に連なる第一湾曲部を有し、前記機外排水部は前記パイプ部に連なる第二湾曲部を有し、この第一湾曲部と第二湾曲部との間の中間の前記パイプ部に、前記凹凸溝が形成されていることを特徴とする請求項４に記載の冷蔵庫。
【請求項６】
前記ドレンパイプは、前記連結部から前記機外排水部に至る領域において、除霜水や止めビスなどの異物が挿通容易な大きさの一様な内径を有することを特徴とする請求項１から５のいずれかに記載の冷蔵庫。
【発明の詳細な説明】
【技術分野】
【０００１】
本発明は、冷蔵庫に関し、特に、冷気を生成するための蒸発器と除霜水を排水するためのドレンパイプを備えた冷蔵庫に関する。
【背景技術】
【０００２】
従来、冷蔵庫は、食料や飲料などを低温で貯蔵する冷蔵室や、食料を冷凍保存したり冷凍食品などを貯蔵したりするための冷凍室、および、肉類や魚介類などの生鮮食品を冷蔵温度よりも低い温度で貯蔵するチルド室などの複数の貯蔵室が設けられている。
【０００３】
また、所定の冷気を生成するための蒸発器と、この生成された冷気を冷凍室やチルド室および冷蔵室に送る送風ファンと冷気通路を備え、さらに、蒸発器の除霜を行う除霜装置を備え、除霜水を回収するドレンサポートと、除霜水を機外に排出するドレンパイプを備えたものがある。
【０００４】
ドレンパイプを介して除霜水を機外（例えば、圧縮機を設置している機械室に設ける蒸発皿）に排出するので、このドレンパイプは、冷蔵庫断熱箱体（断熱材）を貫通するように設けられる（例えば、特許文献１参照）。また、冷蔵庫の庫内容積を広く確保するために、圧縮機の上部に蒸発器を配置することが多く、除霜水受けの排水部から蒸発皿までが、直線状に配置されない場合が増えている。
【０００５】
冷蔵庫の断熱箱体は、外箱と内箱との隙間に発泡ウレタンなどの発泡断熱材を液体状態で注入し、充填して、発泡固化して成形するので、断熱材の中に埋設されるドレンパイプは、この充填固化時の圧力に耐えて変形しないように考慮されている。例えば、ドレンパイプの外表面にローレット状の凹凸を設けることで管強度を高くして、発泡断熱材の充填固化時の圧力に耐えて変形しないようにできる。
【先行技術文献】
【特許文献】
【０００６】
【特許文献１】特開２００２−９００４３号公報
【発明の概要】
【発明が解決しようとする課題】
【０００７】
除霜水を受けるドレンサポートの排水部から蒸発皿への排水経路が直線状に配置できない場合は、ドレンパイプを傾斜させる必要が生じる。しかし、ドレンパイプを傾斜させると、その傾斜角度によっては水の滞留が起こる場合がある。
【０００８】
水が滞留すると、ドレンパイプ内で除霜水が凍結する虞が生じて問題となる。特に、ドレンパイプに耐圧性を持たせるために補強用のローレット状の凹凸を設けると、その凹凸により形成される凹部や溝部に水が容易に滞留するので好ましくない。
【０００９】
また、ドレンパイプの内径は、除霜水や異物が流れやすい大きさで、且つ、発泡断熱材の充填固化時の圧力によって変形し難い程度の大きさが好ましいので、所定の適当な内径であることが望ましい。
【００１０】
すなわち、ドレンサポートの排水部から除霜水を受けて蒸発皿へ導くドレンパイプは、除霜水が滞留せず流れやすい形状と大きさを有していることが望ましく、発泡断熱材の充填固化時の圧力によって変形し難い形状と大きさを有していることが望ましい。
【００１１】
そこで本発明は、上記問題点に鑑み、冷気を生成する蒸発器と、蒸発器の霜取りを行う除霜装置と、除霜水を排出するドレンパイプを備えた冷蔵庫において、除霜水が滞留せず流れやすい形状と、発泡断熱材の充填固化時の圧力によって変形し難い形状を有するドレンパイプを備えて、除霜水を確実に排出可能な冷蔵庫を提供することを目的とする。
【課題を解決するための手段】
【００１２】
上記目的を達成するために本発明は、冷気を生成する蒸発器と、蒸発器の霜取りを行う除霜装置と、除霜水を排出するドレンパイプを備えた冷蔵庫において、前記ドレンパイプは、排水方向に水平から所定の傾斜角度以上下向きに傾けられ、補強用の凹凸溝が形成され耐圧性を有する上面部と、除霜水が滞留する凹部を有しておらず平滑な底面部を備えることを特徴としている。
【００１３】
この構成によると、ドレンパイプは、その上面部に補強用の凹凸溝が形成されているので管強度が高くなり耐圧性を有し、断熱材の充填固化時の変形を防止して組み込むことができる。また、排水方向に所定の傾斜角度以上下向きに傾けられ、その底面部が凹部を有さず平滑とされるので、除霜水を流す際には、パイプ内部に滞留させずに滑らかに排水できる。すなわち、除霜水が滞留せず流れやすい形状と、発泡断熱材の充填固化時の圧力によって変形し難い形状を有するドレンパイプを備えて、除霜水を確実に排出可能な冷蔵庫を得ることができる。
【００１４】
また本発明は上記構成の冷蔵庫において、前記底面部は、前記上面部に形成する凹凸部と連接するフラット部を備え、該フラット部を、水平方向から左右に５°傾いても水平角度以下にならない傾斜面としたことを特徴としている。この構成によると、冷蔵庫の設置状況によりドレンパイプの設置角度が変化しても、５°以内の傾きであれば、排水経路での除霜水の滞留が生じず、除霜水を確実に排出できる。
【００１５】
また本発明は上記構成の冷蔵庫において、前記所定の傾斜角度は５°程度であって、前記ドレンパイプは、排水方向に水平から５°以上下向きに傾けられていることを特徴としている。この構成によると、冷蔵庫の設置状況により冷蔵庫本本体が多少傾いて設置されても、排水方向に下向きに傾かせることができ、排水経路で除霜水の滞留が生じず、排水部と蒸発皿までの距離を短くできる。
【００１６】
また本発明は上記構成の冷蔵庫において、前記ドレンパイプは、前記除霜装置が備えるドレンサポートの排水部に接続される連結部と、該連結部に連なり排水方向に水平から前記傾斜角度下向きに傾斜したパイプ部と、該パイプ部に連なる機外排水部とを備えたことを特徴としている。この構成によると、連結部と機外排水部との間のパイプ部を所定角度傾斜させることで、水平に近い角度傾斜したドレンパイプを用いても、除霜水を確実に排出することができる。
【００１７】
また本発明は上記構成の冷蔵庫において、前記連結部は前記パイプ部に連なる第一湾曲部を有し、前記機外排水部は前記パイプ部に連なる第二湾曲部を有し、この第一湾曲部と第二湾曲部との間の中間の前記パイプ部に、前記凹凸溝が形成されていることを特徴としている。この構成によると、断熱材中に埋設される領域となる中間のパイプ部に補強用の凹凸溝を形成するので、発泡断熱材の充填固化時の圧力によって潰れない管強度を発揮する。
【００１８】
また本発明は上記構成の冷蔵庫において、前記ドレンパイプは、前記連結部から前記機外排水部に至る領域において、除霜水や止めビスなどの異物が挿通容易な大きさの一様な内径を有することを特徴としている。この構成によると、止めビスやゴミなどが侵入しても、ドレンパイプの中を挿通して外部に容易に排出できる。
【発明の効果】
【００１９】
本発明によれば、排水方向に水平から所定の傾斜角度以上下向きに傾けられ、補強用の凹凸溝が形成され耐圧性を有する上面部と、除霜水が滞留する凹部を有しておらず平滑な底面部を備えるドレンパイプを用いた構成としているので、除霜水が滞留せず流れやすい形状と、発泡断熱材の充填固化時の圧力によって変形し難い形状を有するドレンパイプを備えて、除霜水を確実に排出可能な冷蔵庫を得ることができる。
【図面の簡単な説明】
【００２０】
【図１】本発明に係る冷蔵庫が備えるドレンパイプの拡大説明図である。
【図２】図１に示すドレンパイプのＡ−Ａ断面図である。
【図３】従来のドレンパイプの拡大説明図である。
【図４】従来のドレンパイプが変形する様子を説明する断面図である。
【図５】補強用の凹凸溝が全周に形成されたドレンパイプの全体図である。
【図６】冷蔵庫の蒸発器と除霜装置の配設構成を示す概略説明図である。
【図７】冷蔵庫のドレンパイプの配設構成を示す概略断面図である。
【発明を実施するための形態】
【００２１】
以下に本発明の実施形態を図面を参照して説明する。また、同一構成部材については同一の符号を用い、詳細な説明は適宜省略する。まず本実施形態に係る冷蔵庫の一例について、図６、図７を用いて説明する。
【００２２】
図７に示すように、本実施形態に係る冷蔵庫１は、下部に冷凍室２が設けられ、この上に冷蔵室３が設けられる。また、この冷蔵室３内にチルド室を隔離して設けて、共通の扉を備えた大きな食品貯蔵室とした構成としている。
【００２３】
この冷凍室２と冷蔵室３の周囲、および、冷凍室２と冷蔵室３との間は発泡ウレタン等の断熱材４を充填した断熱仕切り壁が配設されており、冷凍室２の背面（後面）には、冷気を生成する蒸発器５が配設されている。
【００２４】
また、蒸発器５により生成された冷気を冷凍室２や冷蔵室３に送り込む送風ファン（不図示）や冷気ダクトが設けられており、冷気を各貯蔵室に送り込む冷気通路と、各貯蔵室を循環して再び蒸発器５に戻す戻り通路を備えている。さらに、蒸発器５の下方には蒸発器５の除霜を行う除霜装置８が設けられており、除霜水を回収するドレンサポート１１、および、回収した除霜水を排出するためのドレンパイプ１２や排水管１６が取り付けられている。
【００２５】
除霜水はドレンパイプ１２を介して、例えば、本体下部の圧縮機１７を設ける機械室に設置する蒸発皿（不図示）に排水される。そのために、ドレンパイプ１２は断熱材４を貫通するようにして設けられており、冷蔵庫１を形成する外箱と内箱とを組み付け、ドレンパイプ１２などの構成部品を所定位置に取り付けた後、発泡ウレタンなどの断熱材を充填して、発泡固化して成形している。すなわち、蒸発器５や除霜装置８と断熱材４を挟んで外部に設置する蒸発皿に除霜水を排水するドレンパイプ１２は、断熱材４を貫通して埋設されるようにして設置される。
【００２６】
除霜装置８は、蒸発器５を除霜するためのガラス管ヒータ９と、除霜により生じるドレン水（除霜水）を受けるドレンサポート１１を備える。また、ドレンサポート１１には排水部１１ａが設けられており、この排水部１１ａの下部に、ドレンパイプ１２がシール部材１３（図１参照）を介して接続される。
【００２７】
ドレンサポート１１は、図６に示すように、長尺なガラス管ヒータ９の長手方向に沿って配設され、その長手方向の中間に排水部１１ａが設けられる。そして、この排水部１１ａに至る両側の底面が下り傾斜面とされ、ドレンサポート１１に落下した除霜水が全て排水部１１ａに速やかに流れるようにしている。また、排水部１１ａからドレンパイプ１２へ除霜水を流出させるようにしている。
【００２８】
次に、図１〜図５を用いてドレンサポート１１とドレンパイプ１２とについてさらに詳細に説明する。図１は、本実施形態に係るドレンパイプ１２の拡大説明図であり、図２は図１のＡ−Ａ断面である。また、図３、図４は従来構成のドレンパイプを示し、図５は補強用の凹凸溝が全周に形成された従来構成のドレンパイプの例を示す。
【００２９】
図３に示すように、従来構成のドレンパイプ１２Ａは断面円形の配管部材を用いており、ドレンサポート１１の排水部１１ａに連結部１２Ａａを嵌め込む（例えば、圧入する）ようにして装着している。また、嵌め込み部にゴム製のシール部材１３を取り付けて水漏れを防ぐ構成とされる。このシール部材１３は、発泡ウレタンなどの断熱材を充填して固化する際の、断熱材のパイプ内部への侵入も防止する。
【００３０】
しかし、連結部１２Ａａと機外排水部１２Ａｃとの間のパイプ部１２Ａｂが断面円形のドレンパイプ１２Ａは、その管強度が十分高くなく、断熱材の充填固化時の圧力により変形してしまう虞がある。例えば、ドレンパイプ１２Ａが肉厚１〜２ｍｍのブロー成形樹脂製からなる場合は、断熱材の充填固化時の圧力（３００〜４００ｇ／ｃｍ２）により、図４に示すように、押し潰されて変形したドレンパイプ１２Ａ´となることがある。
【００３１】
そこで、例えば図５に示すように、外表面に補強用の凹凸溝１４（複数の凹凸をローレット状に形成する）を設けることで、管強度を高くして、発泡断熱材の充填固化時の圧力に耐えて変形しないようにできる。すなわち、ローレット状の凹凸溝１４を備えたドレンパイプ１２Ｂは、断熱材の充填固化時の圧力（３００〜４００ｇ／ｃｍ２）に耐えて変形しない。
【００３２】
このドレンパイプ１２Ｂも、連結部１２Ｂａと機外排水部１２Ｂｃと、これらの間の断面円形のパイプ部１２Ｂｂを備えた構成であり、断面円形の一様なパイプの外周部に補強用の凹凸溝１４が形成されている。
【００３３】
しかし、このドレンパイプ１２Ｂのように、外表面の全周に補強用の凹凸溝１４を設けた構成では、ドレンパイプ１２Ｂを傾斜した姿勢で、特に水平に近い傾斜姿勢で設置したときには、下側となる底面に凹状の底部１５Ｂが出来てしまう。そのために、この凹状の底部１５Ｂに除霜水が滞留して凍結してしまい、管を塞いでしまう問題を生じる。
【００３４】
そこで、本実施形態のドレンパイプ１２は、図１に示すように、ドレンパイプ１２を傾斜して設置したときの下側となる底面は平滑とし、それ以外の外周部に変形を防ぐ補強用の凹凸溝１４を設けて所定の管強度を発揮可能にしたものである。また、ドレンパイプ１２内部を除霜水が滞留せずにスムーズに流れるように、排水方向に下向きに傾斜させている。
【００３５】
すなわち、ドレンパイプ１２は、排水部１１ａに圧入する連結部１２ａから機外排水部１２ｃに至る中間領域のパイプ部１２ｂ（導水部）を、排水方向に水平から所定の傾斜角度θ１以上下向きに傾けて、補強用の凹凸溝１４が形成され耐圧性を有する上面部と、除霜水が滞留する凹部を有しておらず平滑な底面部１５を備えた構成とされる。
【００３６】
この構成であれば、ドレンパイプ１２は、その上面部が補強用の凹凸溝１４が形成され高い管強度を発揮して耐圧性を有するので、断熱材充填固化時に変形しない。また、その底面部１５が凹部を有さず平滑とされるので、内部を流れる除霜水が滞留せずに滑らかに排水できる。すなわち、水平に近い角度で傾斜して配設しているドレンパイプ１２であっても、除霜水が滞留せず流れやすい形状と、発泡断熱材の充填固化時の圧力によって変形し難い形状と、を有するドレンパイプ１２となって、このドレンパイプ１２を備えた冷蔵庫１は、除霜水を確実に排出可能な冷蔵庫となる。
【００３７】
補強のために形成する凹凸溝１４は、パイプ外周の全周に、もしくは、できるだけパイプ外周の広範囲に設けることが好ましい。また、底面部１５は除霜水が流れやすいように凹凸がなく平滑であることが好ましい。さらに、冷蔵庫１の設置姿勢（±５°いない）が多少傾いても、良好に対応して除霜水が確実に流れる形状であることが望まれる。
【００３８】
そこで、本実施形態では、除霜水が流れる底面部１５を除く外周部の広い領域に補強用の凹凸溝１４を設けている。また、排水する方向に傾斜させるだけでなく、図２に示すように、底面部１５と補強用の凹凸溝１４との接続部となる部分を管軸方向に対して左右の底面を所定の傾斜角度θ２以上上向きに傾斜した構成としている。つまり、ドレンパイプ１２の各断面領域において除霜水が滞留し難い構成としている。この所定の傾斜角度θ２は、例えば５°程度である。
【００３９】
すなわち、底面部１５は、上面部に形成する凹凸溝１４と連接するフラット部１５Ａを備え、該フラット部１５Ａを、水平方向から左右に５°傾いても水平角度以下にならない傾斜面としている。この構成であれば、冷蔵庫の設置状況によりドレンパイプ１２の設置角度が変化しても、５°以内の傾きであれば、排水経路での除霜水の滞留が生じず、除霜水を確実に排出できる。
【００４０】
底面部１５と凹凸部とを連接するフラット部１５Ａは、水平方向から５°程度上向きに傾斜しているので、この底面部１５近辺の領域以外の部分（上面、側面および底面の近くに至る部分）に補強用の凹凸溝１４を形成する構成となって、比較的広範囲な領域に凹凸溝１４を備えるドレンパイプ１２となる。そのために、底面側の一部に凹凸部を設けない構成であっても、管強度を高く維持することができる。
【００４１】
ドレンパイプ１２の、排水方向に傾斜した所定の傾斜角度θ１も５°程度以上が好ましい。このように、ドレンパイプ１２を、排水方向に水平から５°以上下向きに傾けておくことで、冷蔵庫１の設置状況に拘らずに排水経路で除霜水の滞留が生じず、排水部１１ａと蒸発皿までの距離を短くできる。
【００４２】
上記したように、ドレンパイプ１２は、除霜装置８が備えるドレンサポート１１の排水部１１ａに接続される連結部１２ａと、該連結部１２ａに連なり排水方向に水平から傾斜角度下向きに傾斜したパイプ部１２ｂと、該パイプ部１２ｂに連なる機外排水部１２ｃとを備えた構成とされる。このような構成であれば、連結部１２ａと機外排水部１２ｃとの間のパイプ部１２ｂを所定角度傾斜させることで、水平に近い角度傾斜したドレンパイプ１２を用いても、除霜装置８が生成する除霜水を、機外に設ける蒸発皿まで確実に排出することができる。
【００４３】
ドレンサポート１１の排水部１１ａは鉛直下方に開口しているので、連結部１２ａは鉛直上方に向かう開口部を有する、また、連結部１２ａは、排水方向に水平から傾斜角度下向きに傾斜したパイプ部１２ｂに連なる第一湾曲部１２ａｂを有する。同様に、機外排水部１２ｃは、排水方向に水平から傾斜角度下向きに傾斜したパイプ部１２ｂに連なる第二湾曲部１２ｂｃを有し、下方に向かう排水開口部を有する。
【００４４】
すなわち、ドレンパイプ１２は、中間部となるパイプ部１２ｂの一方の端部に第一湾曲部１２ａｂを介して鉛直上向きに開口した連結部１２ａと、他方の端部に第二湾曲部１２ｂｃを介して下向きに開口した機外排水部１２ｃを備えており、中間のパイプ部１２ｂが、排水方向に水平から傾斜角度下向きに傾斜し、補強用の凹凸溝１４が形成された上面部と、凹部を有さず平滑とされる底面部１５を有する構成としている。
【００４５】
管強度が必要なのは、断熱材４に埋設する部分に相当する中間領域のパイプ部１２ｂなので、このパイプ部１２ｂに補強用の凹凸溝１４を設けるとよい。また、連結部１２ａから機外排水部１２ｃに至るドレンパイプ１２の内径は一様な径であることが好ましい。つまり、一様な内径を最小内径として、中間領域のパイプ部１２ｂに複数の凸状の溝部を設けた形状となる。
【００４６】
また、この一様なドレンパイプ１２の内径は所定の大きさ以上であることが好ましい。例えば、冷蔵庫１の組み立て時などで、部品取り付けネジや止めビスなどが落下してパイプ内に入り込んだときに、これらの異物を取り出し易い内径を有していることが好ましい。すなわち、ドレンパイプ１２は、除霜水と止めビスなどの異物が挿通容易な大きさの内径（例えば、１０ｍｍ）を有し、中間領域のパイプ部１２ｂに補強用の凹凸溝１４をローレット状に形成している。この構成であれば、止めビスやゴミなどが侵入しても、ドレンパイプの中を挿通して外部に容易に排出できる。
【００４７】
また、ドレンパイプ１２の管強度の観点からは、パイプ内径は所定以上に大きくないことが好ましい。すなわち、落下した止めビスを挿通可能な程度のぎりぎりの大きさの内径であることが好ましい。
【００４８】
一般に、冷蔵庫１に各種部品を装着する際に用いる止めビスは、その頭部の外形が１０ｍｍ以下であるので、ドレンパイプ１２の内径を１０ｍｍか少し大きなサイズとすると、除霜水も流れやすく、止めビスなどの異物も容易に挿通し易くなる。また、内径が１０ｍｍ程度であれば、樹脂性のドレンパイプであっても管強度も弱くならない。さらに、底面部１５に凹凸部を設けておらず平滑にしているので、パイプ内に止めビスなどが侵入しても、パイプ内部に留まることなく容易に取り出すことができる。
【００４９】
すなわち、ドレンパイプの外形形状と内部構造と配設傾斜角度と内径を所定の形状と大きさとすることで、ブロー成形樹脂製のドレンパイプを断熱材に埋設する構造であっても、断熱材充填固化時の圧力によるドレンパイプの変形を防止し、止めビスなどの異物や除霜水などを内部に滞留せずに確実に排出できる構成となる。
【００５０】
上記したように、本発明によれば、排水方向に水平から所定の傾斜角度以上下向きに傾けられ、補強用の凹凸溝がローレット状に形成され耐圧性を有する上面部と、除霜水が滞留する凹部を有しておらず平滑な底面部を備えるドレンパイプを用いた構成としているので、除霜水が滞留せず流れやすい形状と、発泡断熱材の充填固化時の圧力によって変形し難い形状を有するドレンパイプを備えて、除霜水を確実に排出可能な冷蔵庫を得ることができる。
【００５１】
また、圧縮機の上部に蒸発器５を配置する構成であって、ドレンサポート１１の排水部１１ａから蒸発皿までが直線状に配置されない場合であっても、所定角度傾斜させてドレパイプを配設することで、ドレンサポート１１からドレンパイプ１２の排水部までの上下寸法を小さくすることができる。
【００５２】
すなわち、圧縮機に近接した上部に蒸発器を設置したコンパクトな構成で、ドレンパイプを傾斜して配設した構成であっても、パイプ内部に除霜水が滞留せず、外部に設ける蒸留皿まで確実に排水することができる。
【００５３】
このように、本発明に係る冷蔵庫１は、冷気を生成する蒸発器と、蒸発器の霜取りを行う除霜装置と、除霜水を排出するドレンパイプを備えた冷蔵庫において、傾斜したドレンパイプを用いても、除霜水を確実に排出可能な冷蔵庫を得ることができる。
【産業上の利用可能性】
【００５４】
そのために、本発明に係る冷蔵庫は、コンパクト化が求められ、ドレンパイプを傾斜せることが必要とされる冷蔵庫に好適に利用可能となる。
【符号の説明】
【００５５】
１    冷蔵庫
２    冷凍室
３    冷蔵室
４    断熱材（断熱仕切り壁）
５    蒸発器
８    除霜装置
９    ガラス管ヒータ
１１    ドレンサポート
１１ａ  排水部
１２    ドレンパイプ
１２ａ  連結部
１２ａｂ  第一湾曲部
１２ｂ  （中間）パイプ部
１２ｂｃ  第二湾曲部
１２ｃ  機外排水部
１３    シール部材
１４    凹凸溝
１５    底面部
θ１    傾斜角度（ドレンパイプの水平方向に対する）
θ２    傾斜角度（フラット部の水平方向に対する）
【図１】
0005722734.tif 000002
【図２】
0005722734.tif 000003
【図３】
0005722734.tif 000004
【図４】
0005722734.tif 000005
【図５】
0005722734.tif 000006
【図６】
0005722734.tif 000007
【図７】
0005722734.tif 000008